(57)【特許請求の範囲】
【請求項１】
平行に対向している二対の辺部によって四角形状の開口部が成形され、少なくとも一対の辺部の内側にフランジ状の支持部が突設された受枠と、前記受枠の支持部上に着脱され、開口部を開閉する四角形状の蓋とを備えている四角形状マンホールにおいて、
前記蓋は、傾斜姿勢とされた状態でコーナーが前記受枠の支持部のエッジ上に点接触しながら移動可能なように円弧形状に形成され、前記受枠は、隅部が前記蓋のコーナーの形状に一致する円弧形状に形成されていることを特徴とする四角形状マンホール。
【請求項２】
前記受枠は、内周面が上向きに傾斜し、
前記蓋は、外周面が前記受枠の内周面と当接するように下向きに傾斜していることを特徴とする請求項１に記載の四角形状マンホール。
【請求項３】
前記蓋は、一方の辺部に受枠の一方の辺部に係止する鉤部が設けられ、対向している他方の辺部に受枠の他方の辺部に係脱する施錠装置が設けられていることを特徴とする請求項１又は２に記載の四角形状マンホール。
【請求項４】
前記受枠の下側に落下防止柵が備えられていることを特徴とする請求項１ないし３のいずれか１項に記載の四角形状マンホール。
【発明の詳細な説明】
【技術分野】
【０００１】
本発明は、平行に対向している二対の辺部によって四角形状の開口部を形成する受枠と、前記開口部を開閉する四角形状の蓋とを備えている四角形状マンホールに関し、詳しくは、少なくとも一対の辺部の内側にフランジ状の支持部が突設され、この支持部上に蓋が着脱される四角形状マンホールに関する。
【背景技術】
【０００２】
マンホールは、上下水道などの地下空間に人が入るためのものや、地中に埋設された通信線や電力線その他の各種ケーブル用の電線共同溝に手を入れて点検などするためのもの（「ハンドホール」と呼ばれる。）など、目的や用途に応じて各種提供されている。そして、電線共同溝用のマンホールとしては、各種ケーブルを敷設しやすい矩形状マンホールが一般的に採用されている。
【０００３】
従来の矩形状マンホールは、図５に示すように、平行に対向している一対の長辺部１１０ａ，１１０ａと一対の短辺部１１０ｂ，１１０ｂとによって矩形状の開口部１１１を設けた受枠１１０と、開口部１１１を開閉する蓋１２０とが組み合わされる。受枠１１０の内周面には、蓋１２０を着脱するため、フランジ状の支持部１１４が突設されている。さらに、受枠１１０には、両長辺部１１０ａ，１１０ａ側の支持部１１４の内側にレール１１５，１１５が設けられている。レール１１５は、一端部側から他端部側に一段下がった段差部１１５ａ、傾斜部１１５ｂ、水平部１１５ｃが設けられている。
【０００４】
また、蓋１２０は、周縁部１２１の下面が受枠１１０の支持部１１４上に載せられることによって、開口部１１１を塞ぐものであり、一方の短辺１２０ｂの下面の両側付近に前記レール１１５，１１５上を移動する車輪１２２，１２２が取り付けられている。閉蓋状態において、車輪１２２が前記段差部１１５ａ内に位置する。そして、蓋１２０は、他方の短辺１２０ｂが持ち上げられながら引っ張られることにより、車輪１２２がレール１１５の傾斜部１１５ｂから水平部１１５ｃの方へ移動する。したがって、作業者は、比較的小さな力で蓋１２０を開閉することができる。
【０００５】
しかし、このような蓋１２０は、車輪１２２によって部品点数が多くなるだけでなく、車輪１２２ががたつかないようにするために複雑な構造となる。そこで、車輪１２２をなくした矩形状マンホール用蓋体が特許文献１に開示されている。この矩形状マンホール用蓋体は、蓋本体（図５の蓋に相当）の一方の短辺の下面に第一脚部と第二脚部が下方に一体的に突設したことを特徴としている。そして、受枠体（図５の受枠に相当）には、前記第一脚部が係合するガイド突起部と、前記第二脚部が摺動するレールとが設けられている。
【０００６】
この矩形状マンホール用蓋体は、蓋本体の他方の短辺が持ち上げられ、傾斜姿勢とされることによって、第一脚部がガイド突起部によって若干持ち上がり、さらに、蓋本体が他方の短辺の方に引き出されると、第二脚体がレール上に載り、蓋本体が受枠体から離間して移動するようにされている。
【０００７】
【特許文献１】特開２００４−３３１６号公報
【発明の開示】
【発明が解決しようとする課題】
【０００８】
近年、各種ケーブルの地中埋設化が推進されており、通常の歩道、さらにトンネル内の歩道に矩形状マンホールが設置される場合が増えている。通常の歩道にあっては、幅員が狭かったり、通行人が多かったりする場合がある。また、トンネル内の歩道にあっては、天井に続く側壁と車道とに挟まれ、十分な作業スペースを確保することができないだけでなく、避難経路を確保しておかなければならない。このような歩道においては、幅（長辺部１１０ａと長辺部１１０ａとの間隔）の狭い矩形状マンホールを設置したいという要請がある。
【０００９】
しかし、図５に示した矩形状マンホール、あるいは特許文献１に開示された矩形状マンホール用蓋は、蓋１２０に車輪１２２が取り付けられ、あるいは蓋本体に第一脚部、第二脚部が設けられていることから、幅を狭くするにも限界がある。
【００１０】
また、特許文献１に開示された矩形状マンホール用蓋体は、第二脚部がレール上を線接触しながら摺動するため、摩擦抵抗が車輪１２２に比べて大きく、スムーズに開閉することができるものでない。
【００１１】
そこで、本発明は、幅を狭くすることができ、しかも、蓋をスムーズに開閉することができるようにした四角形状マンホールを提供することを課題とする。
【課題を解決するための手段】
【００１２】
本発明に係る四角形状マンホールは、平行に対向している二対の辺部によって四角形状の開口部が成形され、少なくとも一対の辺部の内側にフランジ状の支持部が突設された受枠と、前記受枠の支持部上に着脱され、開口部を開閉する四角形状の蓋とを備えている四角形状マンホールにおいて、前記蓋は、傾斜姿勢とされた状態でコーナーが前記受枠の支持部のエッジ上に点接触しながら移動可能なように円弧形状に形成され、前記受枠は、隅部が前記蓋のコーナーの形状に一致する円弧形状に形成されていることを特徴としている。
【００１３】
この四角形状マンホールによれば、蓋が傾斜姿勢とされると、蓋のコーナーが受枠の支持部のエッジに載せられる。したがって、蓋のコーナーは、受枠の支持部のエッジに点接触し、蓋が移動されるときに、摩擦抵抗が線接触する場合よりも小さく、スムーズに開閉することができる。そして、受枠の隅部が蓋のコーナーの形状に一致する円弧形状に形成されていることにより、蓋を受枠内にピッタリと納まるように閉蓋することができる。
【００１４】
また、前記本発明に係る四角形状マンホールにおいて、前記受枠は、内周面が上向きに傾斜し、前記蓋は、外周面が前記受枠の内周面と当接するように下向きに傾斜していることが好ましい。
【００１５】
この四角形状マンホールによれば、受枠の内周面が上向きに傾斜し、蓋の外周面が受枠の内周面と当接するように下向きに傾斜していることにより、閉蓋された蓋は、受枠の支持部だけでなく、内周面によっても支承される状態とされる。したがって、蓋と受枠とが隙間なく密着し、砂詰まりやガタツキが生じないようにすることができる。
【００１６】
また、前記本発明に係る四角形状マンホールにおいて、前記蓋は、一方の辺部に受枠の一方の辺部に係止する鉤部が設けられ、対向している他方の辺部に受枠の他方の辺部に係脱する施錠装置が設けられていることが好ましい。
【００１７】
この四角形状マンホールによれば、蓋に鉤部と施錠装置が設けられることにより、セキュリティ対策を講じることができる。
【００１８】
また、前記本発明に係る四角形状マンホールにおいて、前記受枠の下側に落下防止柵が備えられていてもよい。
【００１９】
この四角形状マンホールによれば、四角形状マンホールの下方にケーブルが配線されている場合において、受枠の下側に落下防止柵が備えられていることにより、蓋が誤って落下しても、落下防止柵に受け止められ、ケーブルが切断されないようにすることができる。
【発明の効果】
【００２０】
本発明によれば、受枠の内側に突設されたフランジ状の支持部のエッジ上に蓋のコーナーが載せられることにより、車輪を備えなくても、蓋をスムーズに開閉することができ、さらに、車輪などを備えないことにより、幅の狭い四角形状マンホールを提供することができる。
【発明を実施するための最良の形態】
【００２１】
本発明に係る四角形状マンホールの一実施形態について図１ないし図３を参照しながら説明する。この四角形状マンホールは、四角形状の受枠１０と、この受枠１０に着脱される蓋２０とを備えている。また、この実施形態における四角形状マンホールは、矩形状マンホールとして説明する。
【００２２】
したがって、受枠１０は、一対の長辺部１０ａ，１０ａと一対の短辺部１０ｂ，１０ｂとがそれぞれ平行に対向する矩形状に形成され、内側が矩形状の開口部１１とされている。この受枠１０の４か所の各隅部１０ｃは、４分の１円の円弧形状とされている。この受枠１０は、上面が地面と同一面となるように埋設される壁状部１２と、この壁状部１２の下端部に外向きに突設された座部１３と、壁状部１２の中間部に内向きに突設されたフランジ状の支持部１４とを一体成形したものとされている。なお、支持部１４は、一対の長辺部１０ａにのみ突設されればよいが、負荷を分散するため、一対の短辺部１０ｂ、１０ｂにも突設されることが好ましい。
【００２３】
そして、受枠１０は、支持部１４よりも上側の内周面１０ｄが上向きに傾斜したテーパ面とされている。また、一方の短辺部１０ｂの下面は、平坦に形成されているが、他方の短辺部１０ｂの下面であって偏心した位置には、後記の施錠装置２２を施錠するための係止部１５が突設されている。
【００２４】
さらに、受枠１０の下側には、落下防止柵３０が備えられている（図２ないし図４では図示せず）。落下防止柵３０は、受枠１０の長辺部１０ａと平行に配置される複数本（２本を図示したため、以下、２本として説明する。）の長いバー３１，３１と、受枠１０の短辺部１０ｂ，１０ｂと平行に配置される複数本（図面では２本）の短いバー３２，３２とが組み合わされたものとされている。短いバー３２，３２は、２本の長いバー３１，３１の中間部に架け渡される。そして、受枠１０の両短辺部１０ｂの下面には、開口部１１内に突出する張出部１６，１６が設けられ、この張出部１６，１６に前記長いバー３１，３１の両端部が係止されている。長いバー３１，３１の両端部は、下向きに折曲され、張出部１６，１６には、長いバー３１，３１の両端部を挿し込む貫通孔が形成されている。
【００２５】
一方、蓋２０は、一対の長辺部２０ａ，２０ａと一対の短辺部２０ｂ，２０ｂとがそれぞれ平行に対向する矩形状に形成され、外周部の下面が前記受枠１０の支持部１４上に載せられる大きさとされている。この蓋２０の４か所のコーナー２０ｃは、前記受枠１０の隅部１０ｃの形状に一致する４分の１円の円弧形状とされている。このコーナー２０ｃは、図３に示すように、蓋２０が傾斜姿勢とされた状態で、受枠１０の支持部１４のエッジ１４ａ上に載せられる曲率半径とされている。
【００２６】
すなわち、蓋２０のコーナー２０ｃの曲率半径は、従来よりも大きくされている。従来の曲率半径が小さいコーナー２０ｃを形成した蓋２０にあっては、傾斜姿勢としたときに、コーナー２０ｃより中心側の直線状の部分が支持部１４上に載る状態となり、蓋２０の短辺部２０ｂと受枠１０の支持部１４とが線接触する。しかし、この実施形態の蓋２０は、曲率半径が従来よりも大きくされ、傾斜姿勢の状態で、コーナー２０ｃが支持部１４のエッジ１４ａ上に載せられることにより、蓋２０のコーナー２０ｃと受枠１０の支持部１４のエッジ１４ａとが点接触するようにされている。
【００２７】
そして、蓋２０の外周面２０ｄは、前記受枠１０の傾斜した内周面１０ｄと当接するように下向きに傾斜したテーパ面とされている。したがって、蓋２０は、外周部の下面が受枠１０の支持部１４上に載せられるだけでなく、外周面２０ｄが受枠１０の内周面１０ｄに支承される状態となり、蓋２０と受枠１０とが隙間なく密着し、砂詰まりやガタツキが生じないようにされている。
【００２８】
そして、蓋２０の一方の短辺部１０ｂであって下面の偏心した位置には、閉蓋状態において、前記受枠１０の短辺部１０ｂの支持部１４の下側に入り込む鉤部２１が設けられている。また、蓋２０の他方の短辺部２０ｂであって閉蓋した状態で前記受枠１０の係止部１５に対応する位置には、施錠装置２２が設けられている。
【００２９】
この施錠装置２２が設けられる蓋２０の短辺部２０ｂには、貫通穴２０ｅが形成されている。そして、施錠装置２２は図１（ｄ）に示すように、貫通穴２０ｅに挿通され、かつ、下端部が下方に突出する回転軸２２ａと、この回転軸２２ａの下端部に取り付けられ、かつ、鉤状の突出部２２ｂを有する回転体２２ｃとを備えている。また、回転軸２２ａの上端は、貫通穴２０ｅの上面より陥没した状態に位置し、内側のキャップ２３と外側のキャップ２４とが被せられる。
【００３０】
そして、蓋２０の両短辺部２０ｂ，２０ｂの中心部分には、開閉用のハンドル（図示せず）を引っ掛けるための差込用穴２５，２６が形成されている（図２及び図４において図示せず）。一方の差込用穴２５は、持ち上げられるだけの小さなサイズに形成され、他方の差込用穴２６は、引っ張りと押し込みとができる大きなサイズに形成されている。また、差込用穴２５，２６は、ゴムなどによって成形された栓２７，２８によって塞がれている。
【００３１】
本実施形態の四角形状マンホールは、以上のように構成され、次に使用方法について説明する。閉蓋状態において、蓋２０の外周部の下面が受枠１０の支持部１４上に載せられ、かつ、蓋２０の外周面２０ｄが受枠１０の内周面１０ｄに当接している。そして、蓋２０の鉤部２１が受枠１０の支持部１４の下側に入り込み、施錠装置２２の突出部２２ｂが受枠１０の係止部１５の下方に位置している施錠状態において、勝手に開蓋できないようにされている。
【００３２】
そして、開蓋するには、外側のキャップ２４と内側のキャップ２３を外し、施錠装置２２の回転軸２２ａを回転させることによって、施錠装置２２の突出部２２ｂを受枠１０の係止部１５の下方から外し、開錠する。そして、一方の差込用穴２６にハンドルを差し込み、蓋２０を持ち上げることによって傾斜姿勢とする。
【００３３】
すると、蓋２０の下側の両コーナー２０ｃ，２０ｃが受枠１０の支持部１４のエッジ１４ａ上に載る状態となる。したがって、この傾斜姿勢の蓋２０を引っ張ると、蓋２０の下側の両コーナー２０ｃ，２０ｃが受枠１０の支持部１４のエッジ１４ａ上を点接触しながら移動する。点接触することにより、線接触するときよりも摩擦抵抗が小さく、スムーズに移動し、開蓋することができる。
【００３４】
このとき、蓋２０の姿勢が崩れ、両コーナー２０ｃ，２０ｃが受枠１０の支持部１４から外れ、落下しても、蓋２０は落下防止柵３０に受け止められ、下方に配線されているケーブル（図示せず）を切断することがない。
【００３５】
そして、閉蓋するときも、蓋２０を傾斜姿勢とし、下側の両コーナー２０ｃ，２０ｃが受枠１０の支持部１４のエッジ１４ａ上に点接触で載りながら、スムーズに移動する。この蓋２０の両コーナー２０ｃ，２０ｃが受枠１０の隅部１０ｃ，１０ｃに当接すると、蓋２０を水平姿勢とする。蓋２０の各コーナー２０ｃ，２０ｃ，…と受枠１０の各隅部１０ｃ，１０ｃ，…とは同じ曲率半径とされているため、隙間が生じることなく合わさる。また、蓋２０の外周部の下面が受枠１０の支持部１４上に載せられ、蓋２０の外周面２０ｄと受枠１０の内周面１０ｄとが隙間なく密着し、砂詰まりやガタツキが生じないように閉蓋される。
【００３６】
なお、本発明は、前記の実施形態に限定することなく種々変更することができる。例えば、落下防止柵３０や施錠装置２２は、オプションであり、四角形状マンホールの下方にケーブルなどが配線されていない場合は、備えなくてもよい。また、砂詰まりが生じないようなクリーンな場所やガタツキが生じてもよいような場所に四角形状マンホールを設置する場合には、受枠１０の内周面１０ｄと蓋２０の外周面２０ｄは、傾斜面としないで、垂直な面としてもよい。
【００３７】
さらに、本発明は、幅の狭い四角形状マンホールを提供することを主要な課題としているが、作業者が出入り可能なような広い幅の四角形状マンホールにおいても実施することができる。また、矩形は、一般的に長方形を意味するが、正方形状のマンホールでも実施することができる。この場合は、前記の実施形態で説明した長辺部１０ａ，２０ａと短辺部１０ｂ，２０ｂは、同じ長さの辺部となる。
【図面の簡単な説明】
【００３８】
【図１】本発明に係る四角形状マンホールの一実施形態であって、（ａ）は平面図、（ｂ）は（ａ）のＩｂ−Ｉｂ線断面図、（ｃ）は（ａ）のＩｃ−Ｉｃ断面図、（ｄ）は（ａ）のＩｄ−Ｉｄ線断面図である。
【図２】本発明に係る四角形状マンホールを閉蓋した状態を示す一実施形態であって、（ａ）は上側から見た斜視図、（ｂ）は下側から見た斜視図ある。
【図３】本発明に係る四角形状マンホールの一実施形態であって、開蓋途中又は閉蓋途中を下側からみた要部拡大斜視面図である。
【図４】本発明に係る四角形状マンホールを開蓋途中又は閉蓋途中を示す一実施形態であって、（ａ）は上から見た斜視図、（ｂ）は下から見た斜視図である。
【図５】従来の四角形状マンホールであって、（ａ）は平面図、（ｂ）は（ａ）のＶｂ−Ｖｂ線断面図、（ｃ）はＶｃ−Ｖｃ線断面図である。
【符号の説明】
【００３９】
１０……受枠
１０ａ…辺部（長辺部）
１０ｂ…辺部（短辺部）
１０ｃ…隅部
１０ｄ…内周面
１１……開口部
１４……支持部
１４ａ…エッジ
２０……蓋
２０ａ…一方の辺部（長辺部）
２０ｂ…他方の辺部（短辺部）
２０ｃ…コーナー
２０ｄ…外周面
２１……鉤部
２２……施錠装置
【図１】
0004848389.tif 000002
【図２】
0004848389.tif 000003
【図３】
0004848389.tif 000004
【図４】
0004848389.tif 000005
【図５】
0004848389.tif 000006